(57)【要約】      （修正有）【課題】まな板で発生した生ごみを収集する際に、周囲を汚すことなく直接ごみ袋に捨てることが可能なキッチンごみ収集具を提供する。【解決手段】キッチンごみ収集具１００は、上部と下部が開口した筒状のごみ移動部１１０と、吸盤１２０と、フック１３０−２、１３０−４と、ごみ移動部の上部の縁に連結されたシート状のつば部１４０とを備える。吸盤によって、キッチン台２００に容易に取り付けることができる。また、フックを使ってごみ移動部の下部にごみ袋を取り付けることができる。そして、まな板３００で生ごみが発生した際には、ごみ移動部の上部の縁に連結されたシート状のつば部にまな板を置いて、まな板を傾けることにより、生ごみをごみ移動部に投入でき、周囲を汚すことなく直接ごみ袋に捨てることが可能である。【選択図】図４
0003201204.tif 000002
【実用新案登録請求の範囲】
【請求項１】
上部と下部が開口した筒状のごみ移動部と、
前記ごみ移動部の側部に設けられ、取り付け対象に取り付けるための取付部と、
前記ごみ移動部の側部に設けられたフックと、
前記ごみ移動部の上部の縁に連結されたシート状のつば部と、
を備えたことを特徴とする、キッチンごみ収集具。
【請求項２】
前記取付部は、吸盤であることを特徴とする、請求項１に記載のキッチンごみ収集具。
【請求項３】
前記ごみ移動部は、上部から下部に向けて先細り形状であることを特徴とする、請求項１又は２に記載のキッチンごみ収集具。
【考案の詳細な説明】
【技術分野】
【０００１】
本考案は、キッチンで発生するごみを収集するのに適したキッチンごみ収集具に関する。
【背景技術】
【０００２】
料理の際、まな板上で水分を含んだ野菜・肉・魚くずなどの生ごみが生じる。これらまな板上の生ごみを収集するためのキッチンごみ収集具として、いくつかの提案がなされている（例えば、非特許文献１参照）。非特許文献１に開示されるキッチンごみ収集具は、キッチンの引き出し・流し台の扉に引っ掛けるタイプのものであった。
【先行技術文献】
【非特許文献】
【０００３】
【非特許文献１】インターネット＜ＵＲＬ：http://www.amazon.co.jp/%E5%B1%B1%E5%B4%8E%E5%AE%9F%E6%A5%AD-YAMAZAKI-07133-tower-%E3%83%AC%E3%82%B8%E8%A2%8B%E3%83%8F%E3%83%B3%E3%82%AC%E3%83%BC/dp/B008D8E7GO＞
【考案の概要】
【考案が解決しようとする課題】
【０００４】
しかしながら、非特許文献１に開示されるキッチンごみ収集具は、キッチンの引き出し・流し台の扉に引っ掛けるものであるため、まな板から直接、生ごみをごみ袋（レジ袋）に捨てることはできない。このため、生ごみからの水分でキッチン台回りが汚れたり、まな板からごみ袋（レジ袋）に入れるための作業が増えるという問題があった。
【０００５】
そこで本考案は、このような問題に鑑みてなされたものであり、その目的とするところは、まな板で発生した生ごみを収集する際に周囲を汚すことなく直接ごみ袋に捨てることの可能な、新規かつ改良されたキッチンごみ収集具を提供することにある。
【課題を解決するための手段】
【０００６】
上記課題を解決するために、本考案によれば、上部と下部が開口した筒状のごみ移動部と、前記ごみ移動部の側部に設けられ、取り付け対象に取り付けるための取付部と、前記ごみ移動部の側部に設けられたフックと、前記ごみ移動部の上部の縁に連結されたシート状のつば部とを備えたことを特徴とする、キッチンごみ収集具が提供される。
【０００７】
かかる構成によれば、取付部によって、キッチン台などの取り付け対象に容易に取り付けることができる。また、フックを使ってごみ移動部の下部にごみ袋を取り付けることができる。そして、まな板で生ごみが発生した際には、ごみ移動部の上部の縁に連結されたシート状のつば部にまな板を置いて、まな板を傾けることにより、生ごみをごみ移動部に投入できる。このようにして、まな板で発生した生ごみを収集する際に、周囲を汚すことなく直接ごみ袋に捨てることが可能である。
【０００８】
本考案は、さまざまな応用が可能である。例えば、前記取付部は、吸盤であってもよい。簡易な方法で、強い吸着力で取り付け対象に取り付けることができる。
【０００９】
また、前記ごみ移動部は、上部から下部に向けて先細り形状であってもよい。大きな上部から容易に生ごみを投入することができる。また、スムーズに生ごみを下部に移動することができるとともに、小さいごみ袋でも対応することができる。
【００１０】
上記本考案の応用例は、任意に組み合わせることができる。
【考案の効果】
【００１１】
本考案のキッチンごみ収集具によれば、まな板で発生した生ごみを収集する際に、周囲を汚すことなく直接ごみ袋に捨てることが可能である。本考案のその他の効果については、以下の考案を実施するための形態の項でも説明する。
【図面の簡単な説明】
【００１２】
【図１】本考案の一実施形態にかかるキッチンごみ収集具１００の構成を概略的に示す斜視図である。
【図２】キッチンごみ収集具１００の構成を概略的に示す背面図である。
【図３】キッチンごみ収集具１００の構成を概略的に示す側面図である。
【図４】キッチンごみ収集具１００の使用方法を示す図である。
【考案を実施するための形態】
【００１３】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１４】
本考案の一実施形態について説明する。まず、図１〜図３を参照しながら、本実施形態にかかるキッチンごみ収集具１００の構成について説明する。図１は、キッチンごみ収集具１００の構成を概略的に示す斜視図である。図２は、図１のキッチンごみ収集具１００の背面図である。図３は、図１のキッチンごみ収集具１００の側面図である。
【００１５】
キッチンごみ収集具１００は、図１〜図３に示したように、上部と下部が開口した筒状のごみ移動部１１０と、ごみ移動部１１０の側部に設けられ、キッチン台などの取り付け対象に取り付けるための吸盤１２０と、ごみ移動部１１０の側部に設けられたフック１３０と、ごみ移動部１１０の上部の縁に連結されたシート状のつば部１４０と、を備えたことを特徴とする。以下、キッチンごみ収集具１００の各構成要素について順に説明する。
【００１６】
（ごみ移動部１１０）
ごみ移動部１１０は、図１〜図３に示したように、上部と下部が開口した筒状の形態を有する。ごみ移動部１１０は、後述するように、上部から投じられたごみが下部に通過する部分である。ごみ移動部１１０は、図示した一例では、上部から下部に向けて先細り形状であり、側方から見ると、逆向きの等脚台形をなしている。
【００１７】
ごみ移動部１１０をこのような先細り形状にすることによって、大きな開口の上部から容易に生ごみを投入することができる。また、スムーズに生ごみを下部に移動することができるとともに、小さいごみ袋でも対応することができる。ただし、あまり先細りにし過ぎると、下部の方で詰まるおそれがあるので、バランスのよい形状とすることが好ましい。
【００１８】
このようなごみ移動部１１０の材質としては、プラスチックなどを採用することができる。また、ごみ移動部１１０のサイズ（キッチンごみ収集具１００の全体のサイズ）は任意である。例えば、上面の径が２０ｃｍ程度、下面の径が１０ｃｍ程度とすることができる。
【００１９】
（吸盤１２０）
吸盤１２０は、図２、図３に示したように、ごみ移動部１１０の側部に設けられるものであり、このキッチンごみ収集具１００を、キッチン台などの取り付け対象に取り付けるためのものである。吸盤１２０を用いることにより、キッチンごみ収集具１００をキッチン台などに取り付ける際に、簡易な方法で、強い吸着力で取り付けることができる。この点については、図４を参照しながらさらに後述する。
【００２０】
（フック１３０）
フック１３０（１３０−１〜１３０−４）は、図１〜図３に示したように、ごみ移動部１１０の側部に設けられるものであり、ごみ袋（例えば、店で渡されるレジ袋）を取り付けるためのものである。なお、本明細書において、フック１３０−１〜１３０−４を、フック１３０と総称する。
【００２１】
フック１３０は、図示した例では、側方の左右に対に設けられている。すなわち、フック１３０−１とフック１３０−２とで一対となってごみ袋を引っかけることができ、同様に、フック１３０−３とフック１３０−４とで一対となってごみ袋を引っかけることができる。ごみ袋の大きさに応じて、引っかけるフック１３０を変えることができる。
【００２２】
なお、図示の例では、フック１３０の一例として、一対のフックを２組設けたが、本考案はこれに限定されず、１組でもよく、３組以上でもよいことは言うまでもない。また、ごみ袋を安定して保持できる形態であれば、必ずしも一対のフックでなくてもよい。
【００２３】
フック１３０の材質は、任意の材質でよい。例えば、フック１３０をごみ移動部と同じ材質にしてもよく、ごみ移動部１１０と一体成型してもよい。また、フック１３０をごみ移動部１１０とは別個の部品として構成し、ごみ移動部１１０に取り付けるようにしてもよい。
【００２４】
以上のように、フック１３０にごみ袋を引っかけ、ごみ袋の口で、ごみ移動部１１０の下部を覆うようにする。これによって、ごみ移動部１１０を通過して、ごみ移動部１１０の下部から排出されるごみを、ごみ袋で受けることができる。
【００２５】
（つば部１４０）
つば部１４０は、図１〜図３に示したように、ごみ移動部１１０の上部の縁に連結されたシート状の部材である。つば部１４０には、後述するように、まな板が載せられる。つば部１４０がごみ移動部１１０に連結されていることで、まな板で発生した生ごみなどを、こぼさずにごみ移動部１１０に移動することができる。また、つば部１４０にまな板が載せられることで、上述した吸盤１２０との相乗効果として、キッチンごみ収集具１００をキッチン台などに取り付けたときに落下しづらくなる。
【００２６】
つば部１４０とごみ移動部１１０との連結部分は、強固に連結されていてもよく、また、適度の柔軟性があるように連結されていてもよい。つば部１４０の材質は、ごみ移動部１１０と同様の材質であってもよい。また、つば部１４０の用途・機能を考慮して、滑り止めに効果がある材料、例えばゴム製などにしてもよい。また、つば部１４０の表面や裏面に、滑り止め加工を施すようにしてもよい。
【００２７】
以上、本実施形態にかかるキッチンごみ収集具１００の構成について説明した。次に、主に図４を参照しながら、キッチンごみ収集具１００の使用方法について説明する。
【００２８】
まず、図４に示したように、キッチンごみ収集具１００を、キッチン台２００に取り付ける。図４中の矢印に示したように、吸盤１２０をキッチン台２００の側面に吸着させる。このとき、つば部１４０が、キッチン台２００の上面に位置するようにする。
【００２９】
このとき、吸盤１２０によって自重が支えられることで、キッチンごみ収集具１００は落下しない。さらに、つば部１４０にまな板３００を置くことで、さらにキッチンごみ収集具１００が落下することを防止できる。ごみ袋にごみが収集されてさらに重力方向に負荷が掛かっても、キッチンごみ収集具１００が落下することを防止できる。
【００３０】
そして、まな板３００上のごみをごみ袋に収集する。キッチンごみ収集具１００の使い方としては、どこか別の場所でまな板３００に生ごみが発生した後にそのまな板をキッチンごみ収集具１００に移動するような使い方でもよく、あるいは、図４の状態で、また板３００で調理を行って、生ごみが発生するような使い方でもよい。
【００３１】
まな板３００をごみ移動部１１０の側に傾けると、ごみ移動部１１０の上部からまな板３００のごみが投下される。このとき、ごみ移動部１１０とつば部１４０とが一体になっているため、ごみがキッチン台２００にこぼれない。このようにして、キッチン台２００の周囲を汚すことなく清潔に保たれる。
【００３２】
そして、図４では図示していないが、上述したようにフック１３０−２又はフック１３０−４には、ごみ袋が取り付けられており、ごみ移動部１１０の下部からのごみを受けられるようになっている。まな板３００からごみ移動部１１０の上部へ投下されたごみは、ごみ移動部１１０を移動して、ごみ袋に収集される。この際も、キッチン台２００の周囲を汚すことなく清潔に保たれる。
【００３３】
（本実施形態の効果）
以上説明したように、本実施形態によれば、吸盤１２０によって、キッチン台２００などに容易に取り付けることができる。また、フック１３０を使ってごみ移動部１１０の下部にごみ袋を取り付けることができる。そして、まな板３００で生ごみが発生した際には、シート状のつば部１４０にまな板３００を置いて、まな板３００を傾けることにより、生ごみをごみ移動部１１０に投入できる。このようにして、まな板３００で発生した生ごみを収集する際に、周囲を汚すことなく直接ごみ袋に捨てることが可能である。
【００３４】
また、吸盤１２０を用いたことにより、簡易な方法で、強い吸着力でキッチン台２００に取り付けることができる。
【００３５】
また、ごみ移動部１１０を、上部から下部に向けて先細り形状としたことにより、大きな上部から容易に生ごみを投入することができる。また、スムーズに生ごみを下部に移動することができるとともに、小さいごみ袋でも対応することができる。
【００３６】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００３７】
例えば、上記実施形態では、取り付け対象であるキッチン台２００に取り付けるための取付部として、吸盤１２０について説明したが、本考案はこれに限定されない。ねじなど任意の取り付け手段を採用することができる。なお、キッチンごみ収集具１００を取り付ける対象は、キッチン台に限定されず、任意の場所でよい。
【００３８】
また、上記実施形態では、ごみ移動部１１０は、上部から下部に向けて先細り形状であることについて説明したが、本考案はこれに限定されない。ごみ移動部１１０の形状は、円柱形状など任意でよい。
【産業上の利用可能性】
【００３９】
本考案は、キッチンで発生するごみを収集するのに適したキッチンごみ収集具として利用可能である。
【符号の説明】
【００４０】
１００  キッチンごみ収集具
１１０  ごみ移動部
１２０  吸盤（取付部）
１３０（１３０−１〜１３０−４）  フック
１４０  つば部
２００  キッチン台
３００  まな板
【図１】
0003201204.tif 000003
【図２】
0003201204.tif 000004
【図３】
0003201204.tif 000005
【図４】
0003201204.tif 000006